【手続補正書】
【提出日】平成19年11月15日(2007.11.15)
【手続補正１】
【補正対象書類名】明細書
【補正対象項目名】特許請求の範囲
【補正方法】変更
【補正の内容】
【特許請求の範囲】
【請求項１】  少なくとも同軸状に配置されているコア領域と外側領域とを含み、当該外側領域が螺旋状に配向された切刃を形成している細長い部分を含み、
前記コア領域は第一の焼結炭化物材料を含み、
前記外側領域は、少なくとも一つの特性が前記第一の焼結炭化物材料と異なる第二の焼結炭化物材料を含み、前記外側領域は５重量％未満の立方晶系カーバイドを含んでおり、
前記コア領域が前記外側領域に対して溶解結合されている、複合回転バイト。
【請求項２】  請求項１に記載の複合回転バイトであって、
前記特性が、弾性係数、硬度、耐摩耗性、破壊靭性値、引っ張り強度、耐食性、熱膨張係数及び熱伝導率からなる群から選択された少なくとも一つである、複合回転バイト。
【請求項３】  請求項１に記載の複合回転バイトであって、
前記第一の焼結炭化物材料と前記第二の焼結炭化物材料とが、個々に、バインダと金属炭化物とを含んでいる、回転バイト。
【請求項４】  請求項３に記載の複合回転バイトであって、
前記第一の焼結炭化物材料の前記金属炭化物の前記金属と、前記第二の焼結炭化物材料の前記金属炭化物の前記金属とが、個々に、ＩＶＢ族、ＶＢ族及びＶＩＢ族からなる群から選択される、回転バイト。
【請求項５】  請求項３に記載の複合回転バイトであって、
前記コア領域が、前記第一の焼結炭化物材料と前記第二の焼結炭化物材料とのうちの少なくとも一つの前記バインダのマトリクスによって、前記外側領域に溶解結合されている、回転バイト。
【請求項６】  請求項３に記載の複合回転バイトであって、
前記第一の焼結炭化物材料の前記バインダと、前記第二の焼結炭化物材料の前記バインダとが、各々、個々に、コバルト、コバルト合金、ニッケル、ニッケル合金、鉄及び鉄合金からなる群から選択された金属を含んでいる、回転バイト。
【請求項７】  請求項３に記載の複合回転バイトであって、
前記第一の焼結炭化物材料の前記バインダと、前記第二の焼結炭化物材料の前記バインダとが、化学的組成が異なる、回転バイト。
【請求項８】  請求項３に記載の複合回転バイトであって、
前記第一の焼結炭化物材料の前記バインダの重量パーセントが、前記第二の焼結炭化物材料の前記バインダの重量パーセントと異なっている、回転バイト。
【請求項９】  請求項３に記載の複合回転バイトであって、
前記第一の焼結炭化物材料の前記金属炭化物が、化学的組成及び平均粒子サイズのうちの少なくとも一つにおいて、前記第二の焼結炭化物材料の前記金属炭化物と異なっている、回転バイト。
【請求項１０】  請求項３に記載の回転バイトであって、
前記第一の焼結炭化物材料と前記第二の焼結炭化物材料とが、各々、２ないし４０重量パーセントの前記バインダと、６０ないし９８重量パーセントの前記金属炭化物と、を含んでいる、回転バイト。
【請求項１１】  請求項１１に記載の回転バイトであって、
前記第一の焼結炭化物材料と前記第二の焼結炭化物材料とのうちの一つが、同第一の焼結炭化物材料と前記第二の焼結炭化物材料とのうちの他方よりも、１ないし１０重量パーセント多い前記バインダを含んでいる、回転バイト。
【請求項１２】  請求項１に記載の回転バイトであって、
当該複合回転バイトが、ドリル、エンドミル及びタップのうちの一つである、回転バイト。
【請求項１３】  請求項１に記載の回転バイトであって、
前記コア領域内の前記第一の焼結炭化物材料の弾性係数が、前記外側領域内の前記第二の焼結炭化物材料の弾性係数と異なる、回転バイト。
【請求項１４】  請求項１に記載の回転バイトであって、
前記コア領域内の前記第一の焼結炭化物材料の弾性係数が６２０５２８ないし６５５００２Ｍｐａ（９０×１０6ないし９５×１０6ｐｓｉ）であり、前記外側領域内の前記第二の焼結炭化物材料の弾性係数が４７５７３８ないし６３４３１８Ｍｐａ（６９×１０6ないし９２×１０6ｐｓｉ）である、回転バイト。
【請求項１５】  請求項１に記載の回転バイトであって、
前記コア領域内の前記第一の焼結炭化物材料の硬度及び耐摩耗性のうちの少なくとも一つが、前記外側領域内の前記第二の焼結炭化物材料と異なっている、回転バイト。
【請求項１６】  複合回転バイトであって、
少なくとも第一の領域と第二の領域とを含む細長い部分であって、少なくとも一つの螺旋状に配向された切刃を画成している細長い部分を含み、
前記第一の領域は、第一の焼結炭化物材料を含んでおり、
前記第二の領域は、弾性係数、硬度、耐摩耗性、破壊靭性値、引っ張り強度、耐食性、熱膨張係数及び熱伝導率のうちの少なくとも一つが、前記第一の領域と異なる第二の焼結炭化物材料を含んでおり、前記第二の領域は５重量％未満の立方晶系炭化物を含んでおり、
前記第一の領域は、前記第二の領域に溶解結合されており、
前記第一の領域と前記第二の領域とは、前記第二の領域が前記第一の領域の少なくとも一部分を包囲した状態で同軸状に配置されており、
前記螺旋状に配向された切刃は前記第二の領域によって画成されている、回転バイト。
【請求項１７】  請求項１６に記載の複合回転バイトであって、
前記バイトが、ドリル、エンドミル及びタップのうちの一つである、回転バイト。
【請求項１８】  エンドミル又はドリルのビットであって、
同軸状に配置されたコア領域と外側領域とを含み、螺旋状に配向された切刃を画成している細長い部分を含み、
前記コア領域は、弾性係数が６２０５２８ないし６５５００２Ｍｐａ（９０×１０6ないし９５×１０6ｐｓｉ）の第一の焼結炭化物材料を含んでおり、前記外側領域は、弾性係数が４７５７３８ないし６３４３１８Ｍｐａ（６９×１０6ないし９２×１０6ｐｓｉ）の第二の焼結炭化物材料を含んでおり、
前記コア領域は前記外側領域に対して溶解結合されている、エンドミル又はドリルのビット。
【請求項１９】  請求項１８に記載のエンドミル又はドリルのビットであり、
前記第一の焼結炭化物材料が２ないし６重量％のコバルトを含み、前記第二の焼結炭化物材料が６ないし１５重量％のコバルトを含んでいる、エンドミル又はドリルのビット。
【請求項２０】  エンドミル又はドリルのビットであって、
同軸状に配置されたコア領域と外側領域とを含み、螺旋状に配向された切刃を画成している細長い部分を含み、
前記コア領域は、０．２ないし０．６重量％のクロムを含み、
前記外側領域が、少なくとも一つの特性において前記第一の焼結炭化物材料と異なる第二の焼結炭化物材料を含んでおり、前記外側領域が５％未満の立方晶系炭化物を含んでおり、
前記コア領域は前記外側領域に対して溶解結合されている、エンドミル又はドリルのビット。
【請求項２１】  請求項２０に記載のエンドミル又はドリルのビットであり、
前記第一の焼結炭化物材料が更に、０．２乃至０．６重量％のクロムと、０．１乃至０．３重量％の炭化バナジウムと、８ないし１７重量％のコバルトと、炭化タングステンと、付随する不純物とを含んでいる、エンドミル又はドリルのビット。
【請求項２２】  請求項２１に記載のエンドミル又はドリルのビットであり、
前記第二の焼結炭化物材料が、０．２乃至０．６重量％のクロムと、０．１乃至０．３重量％の炭化バナジウムと、５ないし２０重量％のコバルトと、炭化タングステンと、付随する不純物とを含んでいる、エンドミル又はドリルのビット。
【請求項２３】  複合回転バイトであって、
コア焼結炭化物材料を含んでいる細長いコア領域と、
少なくとも一つの特性が前記コア焼結炭化物材料と異なる第一の焼結炭化物材料を含み且つ第一の螺旋状に配向された切り刃を画成している第一の領域であり、前記コア領域に対して同軸状に配置されている前記第一の領域と、
少なくとも一つの特性が前記第一の焼結炭化物材料及び前記コア焼結炭化物材料と異なる第二の焼結炭化物材料を含み且つ少なくとも一つの寸法が前記第一の螺旋状に配向された切り刃と異なる第二の螺旋状に配向された切り刃を画成している第二の領域とを含み、
前記第一の領域と第二の領域とが前記コア領域に対して溶解結合されている、複合回転バイト。
【請求項２４】  請求項２３に記載の複合回転バイトであり、
前記第二の螺旋状に配向された切り刃が、前記第一の螺旋状に配向された切り刃より直径が大きい複合回転バイト。
【請求項２５】  請求項２４に記載の複合回転バイトであり、
当該複合回転バイトが、複溝ドリル又は段付きドリルである、複合回転バイト。
【請求項２６】  請求項２３に記載の複合回転バイトであり、
前記コア領域が前記第一の領域よりも大きい弾性係数を有している、複合回転バイト。
【請求項２７】  請求項２３に記載の複合回転バイトであり、
前記焼結炭化物材料が、各々、バインダと金属炭化物とを含んでいる、複合回転バイト。
【請求項２８】  請求項２７に記載の複合回転バイトであり、
前記コア焼結炭化物材料の前記金属炭化物の金属、前記第一の焼結炭化物材料及び第二の焼結炭化物材料が、各々個々に、ＩＶＢ族、ＶＢ族及びＶＩＢ族からなる群から選択される、複合回転バイト。
【請求項２９】  請求項２７に記載の複合回転バイトであり、
前記コア焼結炭化物材料のバインダ、前記第一の焼結炭化物材料及び第二の焼結炭化物材料が、各々個々に、コバルト、コバルト合金、ニッケル、ニッケル合金、鉄、鉄合金からなる群から選択される、複合回転バイト。
【請求項３０】  請求項２７に記載の複合回転バイトであり、
前記第一の焼結炭化物材料内のバインダの重量パーセントが、前記コア焼結炭化物材料及び前記第二の焼結炭化物材料の内の少なくとも一つ内のバインダの重量パーセントと異なる、複合回転バイト。